(57)【要約】【課題】子供等による悪戯を防止でき、しかもボウル部内部がムース状石鹸液の過剰の吐出により泡だらけとなることもなく、しかも確実に石鹸液を吐出口から繰り返し吐出可能な石鹸液吐出装置を提供する。【解決手段】人体検知センサ４２による人体検知に基づいて、吐出口４０から石鹸液とエアとを混合して成るムース状の石鹸液の吐出と吐出停止とを交互に行う石鹸液吐出装置において、前回の吐出と次回の吐出とが設定時間よりも短い時間間隔で繰り返し行われたときに、且つ吐出の繰返数が設定回数に達した後は、非ムース状の石鹸液だけの吐出を繰り返し行うようにする。【選択図】        図１
2007215871.tif 000002
【特許請求の範囲】
【請求項１】
人体検知センサによる人体検知に基づいて、石鹸液とエアとを混合して成るムース状の石鹸液の吐出と吐出停止とを交互に行う石鹸液吐出装置において
前回の吐出と次回の吐出とが設定時間よりも短い時間間隔で繰り返し行われたときに、且つ吐出の繰返数が設定回数に達し若しくは吐出の繰返しが設定時間継続した後は、非ムース状の石鹸液だけの吐出を繰り返し行うようになしてあることを特徴とする石鹸液吐出装置。
【請求項２】
人体検知センサによる人体検知に基づいて、石鹸液とエアとを混合して成るムース状の石鹸液の吐出と吐出停止とを交互に行う石鹸液吐出装置において
前回の吐出と次回の吐出とが設定時間よりも短い時間間隔で繰り返し行われたときに、且つ吐出の繰返数が設定回数に達し若しくは吐出の繰返しが設定時間継続した後は、前記ムース状の石鹸液の吐出量を小吐出モードに切り換えて、前記設定回数若しくは設定時間内のときの吐出量よりも少量ずつ繰り返し吐出するようになしてあることを特徴とする石鹸液吐出装置。
【請求項３】
請求項２において、前記小吐出モードでは、前記ムース状の石鹸液の吐出量を１回の吐出毎に漸次少なくしていくことを特徴とする石鹸液吐出装置。
【請求項４】
請求項３において、前記小吐出モードでは、前記ムース状の石鹸液の吐出時間を１回の吐出毎に短くしていくことを特徴とする石鹸液吐出装置。
【発明の詳細な説明】
【技術分野】
【０００１】
この発明は石鹸液をエアと混合し、ムース状として吐出する石鹸液吐出装置に関する。
【背景技術】
【０００２】
従来、人体検知センサによる人体検知に基づいて、石鹸液とエアとを混合してなるムース状の石鹸液の吐出と吐出停止とを交互に行う石鹸液吐出装置が公知である。
下記特許文献１にこの種の石鹸液吐出装置が開示されている。
このようにムース状の石鹸液を吐出する石鹸液吐出装置では、特に公共トイレ等に設置されている石鹸液吐出装置では、子供等の悪戯によりムース状石鹸液の吐出が過剰に繰り返されてしまうといった問題が生じていた。
【０００３】
この場合、貯溜タンクに貯溜してある石鹸液が多量に消費されてしまい、以後に他の人が石鹸液吐出装置を使用したときに石鹸液の液切れが生じ、石鹸液吐出装置を使用できなくなってしまう問題を生ずる。
或いはまた、手洗水の吐水装置，手洗後の手を乾燥させるための温風を吹き出す温風吹出装置を石鹸液吐出装置と共に備えた自動手洗乾燥装置にあっては、ムース状石鹸液が多量に手洗器のボウル部に吐出されることでボウル部の内部が泡だらけとなってしまったときに、その後温風吹出装置から温風が勢いよく吹き出されると、その温風によってボウル部の内部の泡が使用者の顔や服に降りかかってしまうといった問題を生ずる。
【０００４】
この点について、特許文献１には短い時間間隔でムース状の石鹸液の吐出が複数回繰り返されたとき、設定回数以上のムース状の石鹸液の吐出を禁止するようにした点が開示されている。
しかしながらこのように設定回数以後のムース状石鹸液の吐出を完全に禁止してしまうと、使用者は石鹸液吐出装置が壊れて使用できないものと勘違いしてしまい、ひいては使用者に対し石鹸液吐出装置に対する信頼性を損なってしまう。
また実際に多量に石鹸液を吐出させたい場合に、石鹸液が吐出されないことで目的を達成できない場合が生ずる。
【０００５】
【特許文献１】特開２００２−３１５６８３号公報
【発明の開示】
【発明が解決しようとする課題】
【０００６】
本発明は以上のような事情を背景とし、子供等による悪戯を防止でき、しかもボウル部の内部がムース状石鹸液の過剰の吐出により泡だらけとなることもなく、しかも確実に石鹸液を吐出口から繰り返し吐出可能な石鹸液吐出装置を提供することを目的としてなされたものである。
【課題を解決するための手段】
【０００７】
而して請求項１のものは、人体検知センサによる人体検知に基づいて、石鹸液とエアとを混合して成るムース状の石鹸液の吐出と吐出停止とを交互に行う石鹸液吐出装置において、前回の吐出と次回の吐出とが設定時間よりも短い時間間隔で繰り返し行われたときに、且つ吐出の繰返数が設定回数に達し若しくは吐出の繰返しが設定時間継続した後は、非ムース状の石鹸液だけの吐出を繰り返し行うようになしてあることを特徴とする。
【０００８】
請求項２のものは、人体検知センサによる人体検知に基づいて、石鹸液とエアとを混合して成るムース状の石鹸液の吐出と吐出停止とを交互に行う石鹸液吐出装置において、前回の吐出と次回の吐出とが設定時間よりも短い時間間隔で繰返し行われたときに、且つ吐出の繰返数が設定回数に達し若しくは吐出の繰返しが設定時間継続した後は、前記ムース状の石鹸液の吐出量を小吐出モードに切り換えて、前記設定回数若しくは設定時間内のときの吐出量よりも少量ずつ繰返し吐出するようになしてあることを特徴とする。
【０００９】
請求項３のものは、請求項２において、前記小吐出モードでは、前記ムース状の石鹸液の吐出量を１回の吐出毎に漸次少なくしていくことを特徴とする。
【００１０】
請求項４のものは、請求項３において、前記小吐出モードでは、前記ムース状の石鹸液の吐出時間を１回の吐出毎に短くしていくことを特徴とする。
【発明の作用・効果】
【００１１】
以上のように請求項１ものは、ムース状の石鹸液の吐出の繰返数が設定回数に達し若しくは吐出の繰返しが設定時間継続した後は、非ムース状の石鹸液だけの吐出を繰り返すようなしたものである。
本発明によれば、ムース状の石鹸液の吐出が繰り返されたときに、あるところから石鹸液だけが吐出され、ムース状の石鹸液が吐出されなくなることによって、子供等による悪戯を防止することができる。
【００１２】
一方で、設定回数若しくは設定時間以後においては石鹸液が継続して吐出可能であるため、石鹸液を多量に必要とする使用者に対し特に不自由させることも無い。
またボウル部内部が過剰なムース状石鹸液の吐出によって泡だらけとなってしまうといった問題も併せて解決することができる。
更に石鹸液の自動吐出機能と、手洗水の自動吐水機能と、乾燥用温風の自動温風吹出装置を備えた自動手洗乾燥装置においては、泡だらけとなったボウル部内部に温風が勢いよく噴出されることによって、泡が使用者の顔や服にかかってしまうといった問題も解決することができる。
【００１３】
一方請求項２のものは、途中からムース状の石鹸液の吐出量を小吐出モードに切り換えて、小量ずつ繰り返し吐出するようになしたもので、この場合においても悪戯をする人に対して不足感を感じさせて悪戯防止を図ることができる。
一方において必要な人には引き続きムース状石鹸液が吐出されるため、使用者に対し特に不自由を感じさせるといったことも生じない。
更にムース状石鹸液は途中から少量ずつとなるため、手洗鉢内部に必要以上に過剰のムース状石鹸液が吐出されて、手洗鉢内部が泡だらけとなってしまう問題も併せて解決することができる。
【００１４】
この場合において上記小吐出モードでは、ムース状の石鹸液の吐出量を一回の吐出毎に漸次少なくして行くようになしておくことができる（請求項３）。
更にこの場合において、かかる小吐出モードではムース状の石鹸液の吐出時間を一回の吐出毎に短くしていくようになしておくことができる（請求項４）。
【発明を実施するための最良の形態】
【００１５】
次に本発明を自動手洗乾燥装置における石鹸液吐出装置に適用した場合の実施形態を図面に基づいて詳しく説明する。
図１において、１０は自動手洗乾燥装置（ここでは壁掛式）で、陶器製の手洗器１２と、その下部のキャビネット１４及び手洗器１２に装着された機能部ユニット１６とを有している。
機能部ユニット１６はケーシング１８を有しており、各種機能部がそこに内蔵されている。
ここでケーシング１８は、下部のケーシング本体１８Ａとその上端の開口を閉鎖する蓋体１８Ｂとを有している。
【００１６】
手洗器１２の後部には、図２及び図３に示しているようにその後端縁に沿って立上る後壁部２４と、左右一対の側壁部２６とで囲まれた収容凹部２８が形成されており、図２にも示しているようにその収容凹部２８に上記の機能部ユニット１６が収容されている。
機能部ユニット１６は、その後面と側面とがそれぞれ後壁部２４と左右一対の側壁部２６とで囲われており、その前面が手洗器１２のボウル部３２に向けて開放されている。
ここで収容凹部２８の底面は、機能部ユニット１６を支持する平坦な支持面３０とされている。
尚図２において、３４はボウル部３２に設けられた排水口である。
【００１７】
図１に示しているように、自動手洗乾燥装置１０は温風吹出口３６，手洗水の吐水口３８及び石鹸液の吐出口４０を備えており、それらが機能部ユニット１６におけるケーシング１８の前面に備えられている。
このケーシング１８の前面にはまた、それぞれに対応して人体検知センサ４２，４４，４６が設けられている。
【００１８】
この自動手洗乾燥装置１０では、石鹸液の吐出口４０の前方に手を差し出すと、人体検知センサ４６がこれを検知して吐出口４０から自動的にムース状の石鹸液（水石鹸）を吐出する。
また吐水口３８の前方に手を差し出すと、人体検知センサ４４がこれを検知して吐水口３８から自動的に温水を吐水する。
更に温風吹出口３６の前方に手を差し出すと、人体検知センサ４２がこれを検知して温風吹出口３６から自動的に温風を吹き出す。
【００１９】
尚、図１中石鹸液の吐出口４０の左側の隣接位置には、石鹸液補給用の引出し４８が出入れ可能に設けられている。
石鹸液の補給は、この引出し４８を引き出した状態で上方からその内部に石鹸液を供給することにより行う。
【００２０】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００２１】
キャビネット１４の内部にはまた、湯水の混合部５４と、温水の供給遮断を行う電磁弁５６とが設けられており、その混合部５４に対し冷水及び湯をそれぞれ供給する配管が接続されている。
混合部５４に供給された冷水と湯とはここで所定比率に混合されて適温の混合水とされ、電磁弁５６の開弁により給水管５８を通じて吐水口３８へと送られ、そこからボウル部３２に向けて吐水される。
【００２２】
一方キャビネット１４の内部且つ下部には石鹸液タンク６０が設けられており、そこに所定量の石鹸液が貯溜されるようになっている。
この石鹸液タンク６０からは給液管６２が延び出しており、その給液管６２上に石鹸液ポンプ６４が設けられている。
石鹸液タンク６０内の石鹸液は、この石鹸液ポンプ６４により給液管６２を通じて上記の石鹸液の吐出口４０へと送られる。
また石鹸液タンク６０内の石鹸液の液量が少なくなったときには、上記の引出し４８を通じて石鹸液が補給され、補給された石鹸液が補給管６６を通じて石鹸液タンク６０内に流入する。
【００２３】
７０はエアポンプで、このエアポンプ７０によりエアが給気管６８を通じて上記石鹸液の吐出口４０に向けて送られる。
【００２４】
キャビネット１４の内部且つ下部にはまた、上記温風吹出口３６を含む温風乾燥装置の乾燥機本体７２が設けられており、この乾燥機本体７２と上記の温風吹出口３６とが、送風管７４で連絡されている。
乾燥機本体７２には送風機とヒータとが内蔵されており、吸気口７５を通じて吸入された空気がヒータによる加熱作用で温風とされて、送風機により送風管７４を通じて温風吹出口３６へと送り出される。
【００２５】
図４に上記の石鹸液の吐出口４０の周辺部の構造が具体的に示してある。
図において７６はノズル装置でノズル本体７８を有しており、そのノズル本体７８が、取付部８０に取り付けられ保持されている。ここでノズル本体７８及び取付部８０は斜め下向きに設けられており、同じく斜め下向きをなすケーシング１８の前板部８１に固定状態とされている。
【００２６】
取付部８０は円筒形状の大径の容器部８２と、小管形状のニップル部８４とを有しており、そのニップル部８４が給液管６２に挿込接続されている。
容器部８２の外周面には鍔部８６が設けられており、前板部８１に設けられた開口８８において、取付部８０がこの鍔部８６で前板部８１に固定されている。
【００２７】
ノズル本体７８にはメッシュ付筒体１０２が保持されている。このメッシュ付筒体１０２の軸方向両端にはメッシュ１０６が設けられている。
これらメッシュ１０６は、送られてきた石鹸液とエアとを通すことによりそれらを均一混合し、石鹸液をよりよくムース化する働きをなす。
【００２８】
本実施形態では、石鹸液タンク６０から石鹸液ポンプ６４にて供給されてきた石鹸液と、エアポンプ７０にて供給されてきたエアとが互いに混合せしめられてムース状化され、そしてメッシュ１０６を通過することでムースが均一化され、その後ノズル本体７８の吐出口４０から手洗器１２のボウル部３２に向けて吐出される。
【００２９】
図３において１１０は制御部で、この実施形態ではケーシング１８の蓋体１８Ｂにて吊持される形態で、蓋体１８Ｂの下面側に設けられている。
この制御部１１０は、人体検知センサ４２，４４，４６による人体検知に基づいて、乾燥機本体７２内部の送風機及びヒータ，電磁弁５６，石鹸液の供給を行う石鹸液ポンプ６４，エアの供給を行うエアポンプ７０等を作動制御する。
本実施形態では石鹸液タンク６０，石鹸液ポンプ６４，エアポンプ７０，給液管６２，給気管６８，図４に示すノズル装置７６，人体検知センサ４６及び制御部１１０等にて石鹸液の吐出装置が構成されている。
【００３０】
本実施形態では、人体検知センサ４６が差し出された手を一回検知するごとに、ムース状石鹸液の吐出を所定時間（ここでは例えば０．７秒）連続して行ない、そして所定時間経過したところで自動的に吐出を停止する。
そして再び人体検知センサ４６の前方に手が差し出されて人体検知センサ４６がこれを検知すると、次の連続的なムース状の石鹸液の吐出を一回行う。
【００３１】
即ちこの実施形態では、人体検知センサ４６が手を検知するごとに一回ずつムース状の石鹸液の吐出が行われる。
而して本実施形態では、前回の使用者と次の使用者との間に通常生ずる時間間隔よりも短い時間間隔で、即ち設定時間よりも短い時間間隔でムース状の石鹸液の吐出が繰り返し行われたとき、且つ吐出の繰返数が設定回数に達し若しくは吐出の繰返しが設定時間継続した後は、ムース状の石鹸液の吐出を制限するように制御部１１０が石鹸液ポンプ６４，エアポンプ７０の作動を制御する。
【００３２】
図５はそのような制御による石鹸液の吐出のパターン例を示している。
図５（Ａ）は途中からムース状の石鹸液を吐出しないで、非ムース状の石鹸液だけの吐出を行うようになした例である。
詳しくは図５（Ａ）のパターンでは、短い時間間隔でムース状の石鹸液の吐出が設定回数Ｎだけ繰り返されたときには、その後ムース状の石鹸液は吐出せず、石鹸液ポンプ６４だけを作動させてエアポンプ７０の作動を停止し、これにより非ムース状の石鹸液だけの吐出を繰り返し行う。
【００３３】
以上のような本実施形態によれば、ムース状の石鹸液の吐出が繰り返されたときに、あるところから石鹸液だけが吐出され、ムース状の石鹸液が吐出されなくなるため、そのことによって子供等による悪戯を防止することができる。
一方で設定回数以後においても石鹸液が継続して吐出されるため、石鹸液を多量に必要とする使用者に対し特に不自由させることも無い。
【００３４】
また過剰なムース状石鹸液の吐出によって、ボウル部内部が泡だらけとなってしまうといった問題も併せて解決することができる。
更に泡だらけとなったボウル部内部に、その後温風が勢いよく吹き出されることによって泡が使用者の顔や服にかかってしまうといった問題も解決することができる。
【００３５】
一方図５（Ｂ）の例は、ムース状の石鹸液の吐出の繰返数が設定回数Ｎに達した後は、ムース状石鹸液の吐出をその後も繰り返し行うものの、回数Ｎ以後は小吐出モードに切り換えて、ムース状石鹸液の吐出を行う。
具体的には、（Ｂ）の例ではムース状石鹸液の吐出時間を一回毎に漸次少なくして行き、これによって一回毎のムース状の石鹸液の吐出量を漸次少なくして行く。
【００３６】
これにより悪戯をする人に対して不足感を感じさせて悪戯防止を図ることができる一方、必要な人には引き続きムース状石鹸液が吐出されるため、使用者に対し特に不自由を感じさせるといったことも生じない。
更にムース状石鹸液は途中から少量ずつとなるため、ボウル部内部に必要以上に過剰のムース状石鹸液が吐出されて、手洗鉢内部が泡だらけとなってしまう問題も併せて解決することができる。
【００３７】
以上本発明の実施形態を詳述したが、本発明は自動手洗乾燥装置における石鹸液吐出装置のみならず、単独の石鹸液吐出装置に適用することも可能である。
また上記実施形態では人体検知センサ４６が手を１回検知するごとに１回だけムース状の石鹸液の吐出を行うようになした例であるが、人体検知センサが一旦人体検知した場合には無条件に設定回数だけ複数回繰り返して石鹸液を吐出する場合においても適用可能なものである。
その他本発明はその趣旨を逸脱しない範囲において種々変更を加えた形態で構成可能である。
【図面の簡単な説明】
【００３８】
【図１】本発明の一実施形態の石鹸液吐出装置を含む自動手洗乾燥装置を示す全体図である。
【図２】図１の手洗器周辺を拡大して示す側断面図である。
【図３】図１の機能部ユニットとその周辺を拡大して示す正面図である。
【図４】同実施形態の石鹸液吐出装置の要部を拡大して示す断面図である。
【図５】同実施形態における石鹸液の吐出パターンの一例を示す図である。
【符号の説明】
【００３９】
４２  人体検知センサ
６４  石鹸液ポンプ
７０  エアポンプ
１１０  制御部
【図１】
2007215871.tif 000003
【図２】
2007215871.tif 000004
【図３】
2007215871.tif 000005
【図４】
2007215871.tif 000006
【図５】
2007215871.tif 000007